(57)【要約】【課題】互いに隣接する外装部材と外装部材との間に段差が生じることを抑制しつつ、支持面に対する、画像読取部の隅部の高さを調整できる画像形成装置を提供する。【解決手段】画像形成装置１００は、画像読取部１０と、画像形成部２０と、支持台２２と、高さ調整部材５０とを備える。支持台２２は、画像読取部１０の複数の隅部Ｃのうち予め定められた隅部ＣＡを除く隅部ＣＢを支持する支持面２２Ａを有し、画像読取部１０と画像形成部２０との間に配置される。高さ調整部材５０は、隅部ＣＡの支持面２２Ａに対する高さを調整する。画像形成部２０は、第１支持部と、第１外装部材２４とを含む。第１支持部は、隅部ＣＡを支持する。第１外装部材２４は、第１支持部の外側面を覆うように、第１支持部に取り付けられる。画像読取部１０は、第１支持部及び高さ調整部材５０を貫通して第１外装部材２４と結合する結合部１３を含む。【選択図】図３
2016114893.tif 000002
【特許請求の範囲】
【請求項１】
原稿の画像を光学的に読み取る画像読取部と、
シートに画像を形成する画像形成部と、
前記画像読取部の複数の隅部のうち予め定められた隅部を除く隅部を支持する支持面を有し、前記画像読取部と前記画像形成部との間に配置される支持台と、
前記予め定められた隅部の前記支持面に対する高さを調整する高さ調整部材と
を備え、
前記画像形成部は、
前記予め定められた隅部を支持する第１支持部と、
前記第１支持部の外側面を覆うように、前記第１支持部に取り付けられる第１外装部材と
を含み、
前記画像読取部は、前記第１支持部及び前記高さ調整部材を貫通して前記第１外装部材と結合する結合部を含む、画像形成装置。
【請求項２】
前記結合部は、前記予め定められた隅部に形成され、
前記高さ調整部材が前記第１支持部に沿ってスライドすることに応じて、前記結合部が前記支持面に交差する方向に沿って移動する、請求項１に記載の画像形成装置。
【請求項３】
前記画像読取部は、
前記原稿の画像を読み取る光学系と、
互いの端部が隣接する第１側面部及び第２側面部を有し、前記光学系を収容する筐体と、
前記第２側面部に取り付けられる第２外装部材と
を含み、
前記高さ調整部材は、前記第１支持部に沿ってスライド可能なスライド部材を含み、
前記スライド部材は、前記第１支持部の前記外側面と前記第１外装部材との間において、前記第１側面部の前記端部に対応して前記第１支持部に配置され、
前記第１外装部材は、前記結合部と結合される被結合部を含み、
前記結合部は、前記第１側面部の前記端部から突出しており、前記第１支持部及び前記スライド部材を貫通して前記被結合部に結合し、
前記スライド部材が前記第１支持部に沿ってスライドすることに応じて、前記結合部が前記支持面に交差する方向に沿って移動する、請求項１又は請求項２に記載の画像形成装置。
【請求項４】
前記第１支持部には、前記結合部に対応して、前記支持面に交差する方向に沿って延びる開口が形成され、
前記スライド部材には、前記スライド部材のスライド方向に対して傾斜している第１長孔が形成され、
前記結合部は、前記開口及び前記第１長孔を貫通し、前記被結合部に結合する、請求項３に記載の画像形成装置。
【請求項５】
前記スライド部材には、前記スライド部材の前記スライド方向に沿って延びる２つの第２長孔が形成され、
前記第１長孔は、前記２つの第２長孔のうちの一方と他方との間に形成され、
前記高さ調整部材は、前記２つの第２長孔に対応して設けられる２つの柱状部材をさらに含み、
前記柱状部材は、前記対応する第２長孔を貫通して、前記第１支持部に取り付けられる、請求項４に記載の画像形成装置。
【請求項６】
前記第１支持部の下端部には、前記スライド部材の前記スライド方向に沿って延びる第２支持部が形成され、
前記第２支持部は、前記第１支持部の前記外側面から突出し、前記スライド部材の下端縁を支持する、請求項４又は請求項５に記載の画像形成装置。
【請求項７】
前記画像読取部は、前記支持面に支持される脚部をさらに含み、
前記脚部は、前記複数の隅部のうち前記予め定められた隅部を除く前記隅部の各々に設けられる、請求項１から請求項６のいずれか１項に記載の画像形成装置。
【発明の詳細な説明】
【技術分野】
【０００１】
本発明は、画像形成装置に関する。
【背景技術】
【０００２】
特許文献１に記載された画像形成装置は、光学フレームを有する画像読取装置を備える。光学フレームには光学系キャリッジが収容される。光学系キャリッジは光源及びミラー等を含む。画像読取装置では、光学系キャリッジが光学フレーム内を副走査方向に移動し、撮像素子が原稿の画像を読み取る。
【０００３】
このような画像読取装置が画像形成装置の本体フレームに設置される場合、画像読取装置の設置面が歪んでいたり、反っていると、光学フレームに歪が発生する可能性がある。一方、光学系キャリッジは、光学フレーム内で副走査方向に移動する際、光学フレーム内に敷設されたガイドレールに沿って移動する。従って、光学フレームに歪が生じると、光学系キャリッジを案内するガイドレールにも歪が生じ、読取画像信号の精度が低下する可能性がある。読取画像信号の精度が低下すると、読取画像信号に基づいて用紙に形成される画像の直角度が低下する可能性がある。一般的に、画像の直角度は、画像読取装置によって読み取られた矩形画像に基づいてシート（例えば、用紙）に矩形画像を形成した場合に、シートに形成された矩形画像の角部の角度が９０度に対してどの程度ずれているかを示す。
【０００４】
特許文献１には、上記の画像形成装置の他、光学フレームの歪を抑制して、画像の直角度の低下を抑制する画像形成装置が記載されている。この画像形成装置は、互いにテーパー嵌合する一対の楔状調整部材を備える。一対の楔状調整部材うち、一方が光学フレームの底面に固定され、他方が画像形成装置本体の上部にスライド可能に設けられる。そして、楔状調整部材をスライドさせることによって、光学フレームの４つの隅部のうちの１つの隅部の本体フレームに対する高さを調整する。その結果、光学フレームの歪が抑制され、画像の直角度の低下を抑制できる。
【先行技術文献】
【特許文献】
【０００５】
【特許文献１】特開２０１１−３５４９１号公報
【発明の概要】
【発明が解決しようとする課題】
【０００６】
しかしながら、特許文献１に記載の画像形成装置では、光学フレーム及び本体フレームには、それぞれ、外装部材が取り付けられる。そして、楔状調整部材による光学フレームの隅部の高さの変化に伴って、光学フレームに取り付けられた外装部材の本体フレームに対する高さも変化する。一方、本体フレームに取り付けられた外装部材の位置は変化しない。従って、光学フレーム（画像読取部）の外装部材と本体フレーム（画像形成部）の外装部材との間に段差が生じる可能性がある。
【０００７】
本発明は上記課題に鑑みてなされたものであり、その目的は、画像読取部の隅部の高さの調整に伴って、互いに隣接する画像読取部の外装部材と画像形成部の外装部材との間に段差が生じることを抑制できる画像形成装置を提供することにある。
【課題を解決するための手段】
【０００８】
本発明に係る画像形成装置は、画像読取部と、画像形成部と、支持台と、高さ調整部材とを備える。前記画像読取部は、原稿の画像を光学的に読み取る。前記画像形成部は、シートに画像を形成する。前記支持台は、前記画像読取部の複数の隅部のうち予め定められた隅部を除く隅部を支持する支持面を有し、前記画像読取部と前記画像形成部との間に配置される。前記高さ調整部材は、前記予め定められた隅部の前記支持面に対する高さを調整する。前記画像形成部は、第１支持部と、第１外装部材とを含む。前記第１支持部は、前記予め定められた隅部を支持する。前記第１外装部材は、前記第１支持部の外側面を覆うように、前記第１支持部に取り付けられる。前記画像読取部は、前記第１支持部及び前記高さ調整部材を貫通して前記第１外装部材と結合する結合部を含む。
【発明の効果】
【０００９】
本発明によれば、画像読取部の隅部の高さの調整に伴って、互いに隣接する画像読取部の外装部材と画像形成部の外装部材（第１外装部材）との間に段差が生じることを抑制できる。
【図面の簡単な説明】
【００１０】
【図１】本発明の実施形態に係る画像形成装置を示す図である。
【図２】本発明の実施形態に係る画像形成装置の一部を示す斜視図である。
【図３】本発明の実施形態に係る画像形成装置を示す分解斜視図である。
【図４】（ａ）は、本発明の実施形態に係る画像形成装置の一部を拡大して示す分解斜視図であり、（ｂ）は、本発明の実施形態に係る画像形成装置の一部を拡大して示す斜視図である。
【図５】（ａ）及び（ｂ）は、本発明の実施形態に係る画像形成装置の高さ調整部材を示す図である。
【発明を実施するための形態】
【００１１】
以下、本発明の実施形態について、図面を参照しながら説明する。なお、図中、同一又は相当部分については同一の参照符号を付して説明を繰り返さない。また、本実施形態において、Ｘ軸及びＹ軸は水平軸に平行であり、Ｚ軸は鉛直軸に平行である。Ｘ軸、Ｙ軸、及びＺ軸は、互いに直交する。
【００１２】
図１及び図２を参照して、本実施形態に係る画像形成装置１００を説明する。図１は、画像形成装置１００を示す図である。図２は、画像形成装置１００の一部を示す斜視図である。なお、図２では、図面の簡略化のため、原稿搬送装置３０及び操作パネル４０を省略している。
【００１３】
図１及び図２に示すように、画像形成装置１００は、例えば複合機（ＭＦＰ：Ｍｕｌｔｉ  Ｆｕｎｃｔｉｏｎ  Ｐｅｒｉｐｈｅｒａｌ）である。画像形成装置１００は、スキャナー、複写機、プリンター、及びファクシミリ（ＦＡＸ）の各機能を有する。画像形成装置１００は、画像読取部１０と、画像形成部２０と、画像読取部１０を支持する支持台２２と、読み取り対象の原稿Ｍを画像読取部１０に搬送する原稿搬送装置３０と、ユーザーに画像形成装置１００を操作させるための操作パネル４０とを備える。また、画像形成装置１００は、シートＳが排出される排出空間ＳＰを有する。排出空間ＳＰは画像読取部１０と画像形成部２０との間に形成される。
【００１４】
画像読取部１０は、原稿Ｍの画像を光学的に読み取る。画像読取部１０は、例えば、スキャナーである。画像読取部１０は、筐体ＣＳと、筐体ＣＳに収容される光学系１１０と、原稿Ｍが載置されるコンタクトガラス１１５とを含む。筐体ＣＳは、開口が形成された天面部１１を有する。筐体ＣＳの全部又は一部は、例えば、金属製である。コンタクトガラス１１５は、天面部１１に形成された開口を覆うように配置される。光学系１１０は原稿Ｍの画像を読み取る。具体的には、光学系１１０は、光源１２０、反射ミラーを含む第１キャリッジ１３０、反射ミラーを含む第２キャリッジ１４０、及び撮像部１５０を含む。
【００１５】
光源１２０は、第１キャリッジ１３０に取り付けられ、主走査方向（Ｘ軸に沿った方向）に沿って延びている。光源１２０は、コンタクトガラス１１５に載置された原稿Ｍに光を照射する。第１キャリッジ１３０及び第２キャリッジ１４０の各々はガイドレールに沿って副走査方向（Ｙ軸に沿った方向）に移動し、原稿Ｍの画像が走査される。その結果、撮像部１５０によって原稿Ｍの画像が撮像され、原稿Ｍの画像データが生成される。
【００１６】
画像形成部２０はシートＳに画像を形成する。画像形成部２０は、画像読取部１０の下方に配置される。画像形成部２０は、給送ユニット２１０、搬送ユニット２２０、画像形成ユニット２３０、及び排出ユニット２５０を備える。
【００１７】
給送ユニット２１０は、カセット２１１を含み、カセット２１１に積載されたシートＳを搬送ユニット２２０に給送する。搬送ユニット２２０は、画像形成ユニット２３０にシートＳを搬送する。
【００１８】
画像形成ユニット２３０は、画像データ（例えば、撮像部１５０が生成した画像データ）に基づいてシートＳに画像を形成する。画像形成ユニット２３０は、感光体ドラム２３１、帯電部２３２、露光部２３３、現像部２３４、転写部２３５、及び定着部２４０を含む。感光体ドラム２３１、帯電部２３２、露光部２３３、現像部２３４、及び転写部２３５によってシートＳに画像が形成される。そして、シートＳは、搬送ユニット２２０によって定着部２４０に向けて搬送される。定着部２４０は、シートＳを加熱及び加圧して、シートＳに形成された画像をシートＳに定着させる。そして、シートＳは排出ユニット２５０に向けて搬送される。排出ユニット２５０は、排出ローラー対を含み、シートＳを排出空間ＳＰに排出する。
【００１９】
図３を参照して、画像形成装置１００の詳細を説明する。図３は、画像形成装置１００を示す分解斜視図である。なお、図３では、図面の簡略化のため、原稿搬送装置３０及び操作パネル４０の記載を省略している。
【００２０】
画像読取部１０と画像形成部２０との間には、支持台２２が配置される。支持台２２は、画像読取部１０の４つの隅部Ｃのうち予め定められた隅部Ｃ（以下、「隅部ＣＡ」と記載する。）を除く隅部Ｃ（以下、「隅部ＣＢ」と記載する。）を支持する支持面２２Ａを有する。画像形成部２０は、隅部ＣＡを支持するフレーム部２３Ａ（第１支持部）と、第１外装部材２４とをさらに含む。第１外装部材２４は、フレーム部２３Ａの外側面を覆うように、フレーム部２３Ａに取り付けられる。また、画像読取部１０は第２外装部材１５をさらに含む。
【００２１】
画像形成装置１００は高さ調整部材５０をさらに備える。高さ調整部材５０は、隅部ＣＡの支持面２２Ａに対する高さを調整する。以下、隅部ＣＡの高さは、支持面２２Ａに対する高さを示す。画像読取部１０は結合部１３をさらに含む。結合部１３は、隅部ＣＡに形成され、フレーム部２３Ａ及び高さ調整部材５０を貫通して、第１外装部材２４と結合する。高さ調整部材５０がフレーム部２３Ａに沿ってスライドすることに応じて、結合部１３が支持面２２Ａに交差する方向Ｄ１（以下、「調整方向Ｄ１」と記載する。）に沿って移動する。本実施形態では、支持面２２Ａは略水平であり、調整方向Ｄ１は、略鉛直方向である。
【００２２】
本実施形態によれば、結合部１３が第１外装部材２４と結合しているため、画像読取部１０の隅部ＣＡの高さを調整する際に、第１外装部材２４は画像読取部１０と共に移動する。従って、隅部ＣＡの高さの調整に伴って、互いに隣接する画像形成部２０の第１外装部材２４と画像読取部１０の第２外装部材１５との間に段差が生じることを抑制できる。また、ユーザーは、高さ調整部材５０をスライドさせることにより、容易に隅部ＣＡの高さを調整することができる。
【００２３】
以下、図３及び図４を参照して、画像読取部１０及び画像形成部２０と関連付けて、高さ調整部材５０の詳細について説明する。
【００２４】
まず、図３を参照して、画像読取部１０について説明する。筐体ＣＳは、直方体状であり、天面部１１に加えて、第１側面部１２、第２側面部１４、第３側面部１８、第４側面部１９、及び底面部１６をさらに有する。
【００２５】
第１側面部１２の端部Ｅ１２と第２側面部１４の端部Ｅ１４とは、互いに隣接し、隅部ＣＡに含まれる。第１側面部１２は第３側面部１８に対向し、第２側面部１４は第４側面部１９に対向する。底面部１６は、天面部１１と対向する。
【００２６】
結合部１３は、第１側面部１２に略直交するように、第１側面部１２の端部Ｅ１２から第１外装部材２４に向かって突出する。結合部１３は、本実施形態では、円柱状である。例えば、結合部１３はカシメピンである。ただし、結合部１３の形状は、円柱状に限定されず、例えば、角柱状、円筒状、又は角筒状でもよい。また、結合部１３は、例えば、金属製である。
【００２７】
画像読取部１０は第２外装部材１５及び３つの脚部１７をさらに含む。第２外装部材１５は、第２側面部１４の外側面を覆うように、第２側面部１４に取り付けられる。
【００２８】
脚部１７は、隅部ＣＢの各々に設けられ、支持面２２Ａに支持される。具体的には、３つの脚部１７の各々は、底面部１６の下面のうち隅部ＣＢに含まれる隅領域に設けられる。また、３つの脚部１７は、支持台２２のＬ字状の支持面２２Ａに対応して、三角形の３つの頂点を形成するように配置される。画像読取部１０は、３つの脚部１７が支持台２２の支持面２２Ａに接触するように、支持台２２に載置される。従って、画像読取部１０は、脚部１７の各々を介して支持台２２に支持される。その結果、画像読取部１０は安定して支持台２２に支持される。脚部１７は、例えば、弾性体（例えば、ゴム）で形成される。この場合、画像読取部１０を更に安定して支持できる。
【００２９】
次に、図３を参照して、画像形成部２０について説明する。画像形成部２０はフレーム２３をさらに含む。フレーム２３は、例えば、金属製であり、画像形成部２０の骨格を形成する。フレーム２３は長板状のフレーム部２３Ａを含む。フレーム部２３Ａは第１側面部１２に沿って延びる。
【００３０】
フレーム部２３Ａは支持部２３Ｂ（第２支持部）を有する。支持部２３Ｂは、フレーム部２３Ａの長手方向に沿って延びるように、フレーム部２３Ａの下端部に形成される。支持部２３Ｂは、フレーム部２３Ａの外側面から突出する細幅の台である。
【００３１】
フレーム部２３Ａの端部Ｅ２３は、第１側面部１２の端部Ｅ１２に対向する。フレーム部２３Ａの端部Ｅ２３には、結合部１３に対応して、調整方向Ｄ１に沿って延びる開口２３Ｃが形成される。結合部１３は開口２３Ｃを貫通する。開口２３Ｃの幅は、例えば、結合部１３の直径よりも若干大きい。
【００３２】
第１外装部材２４は、結合部１３が結合する被結合部２４Ａを含む。本実施形態では、被結合部２４Ａは円筒状である。ただし、被結合部２４Ａは、円筒状に限定されず、任意の形状を取ることができる。結合部１３が被結合部２４Ａに結合することによって、より確実に結合部１３を第１外装部材２４に結合させることができる。
【００３３】
次に、図３及び図４を参照して、高さ調整部材５０について説明する。図４（ａ）は、画像形成装置１００の一部を拡大して示す分解斜視図である。図３及び図４（ａ）に示すように、高さ調整部材５０は、スライド部材５１と、２個のビス５２（柱状部材）とを含む。
【００３４】
スライド部材５１は、矩形の平板状であり、例えば、金属製である。スライド部材５１は、フレーム部２３Ａの外側面と第１外装部材２４との間において、第１側面部１２の端部Ｅ１２に対応してフレーム部２３Ａの長手方向の端部Ｅ２３に配置される。スライド部材５１は、フレーム部２３Ａに沿うようにスライド方向Ｄ２に沿ってスライド可能である。本実施形態では、スライド方向Ｄ２は、調整方向Ｄ１に略直交し、フレーム部２３Ａの長手方向に略平行である。スライド部材５１の下端縁Ｆ５１は、スライド方向Ｄ２に沿って延びる支持部２３Ｂによって支持される。
【００３５】
スライド部材５１には、第１長孔５１Ａと、２つの第２長孔５１Ｂとが形成される。第１長孔５１Ａは、スライド方向Ｄ２に対して傾斜している。結合部１３は第１長孔５１Ａを貫通する。２つの第２長孔５１Ｂは、調整方向Ｄ１に間隔を置いて形成される。第２長孔５１Ｂは、スライド方向Ｄ２に沿って延びる。第１長孔５１Ａは、２つの第２長孔５１Ｂのうちの一方と他方との間に形成される。
【００３６】
図４（ａ）に示すように、２つのビス５２は、２つの第２長孔５１Ｂに対応して設けられる。ビス５２は、対応する第２長孔５１Ｂを貫通して、フレーム部２３Ａに取り付けられる。従って、ビス５２によってスライド部材５１を締め付ける前では、スライド部材５１は第２長孔５１Ｂに沿ってスライド可能である。その結果、スライド部材５１はスライド方向Ｄ２に沿って精度良くスライド可能である。
【００３７】
スライド部材５１がフレーム部２３Ａに沿うようにスライド方向Ｄ２に沿ってスライドすること応じて、結合部１３が調整方向Ｄ１に沿って移動する。結合部１３は、第１長孔５１Ａ及び開口２３Ｃ（図３）を貫通しており、第１長孔５１Ａ及び開口２３Ｃに沿って移動するためである。結合部１３が調整方向Ｄ１に沿って移動することによって、画像読取部１０の隅部ＣＡの高さが変化する。結合部１３は隅部ＣＡに形成されているためである。従って、スライド部材５１をスライド方向Ｄ２に沿ってスライドさせることによって、画像読取部１０の隅部ＣＡの高さを調整できる。
【００３８】
また、スライド部材５１及び結合部１３は排出空間ＳＰの上部に配置される。従って、ユーザーは、スライド部材５１によって隅部ＣＡの高さを容易に調整し得る。
【００３９】
画像読取部１０の隅部ＣＡの高さを調整した後に、ビス５２によってスライド部材５１を締め付けることによって、スライド部材５１がフレーム部２３Ａに固定される。その結果、画像読取部１０の隅部ＣＡが、調整後の高さでフレーム部２３Ａに支持される。スライド部材５１は、支持部２３Ｂによって支持されるため、画像読取部１０の荷重によってビス５２が変形し隅部ＣＡの高さが変わることを抑制できる。
【００４０】
スライド部材５１がフレーム部２３Ａに固定された後において、第１外装部材２４の被結合部２４Ａに結合部１３を結合し、第２外装部材１５を筐体ＣＳの第２側面部１４に固定する。なお、結合部１３の結合と第２外装部材１５の取付けとの順番は任意である。また、第１外装部材２４は、ビスのような固定部材によって、フレーム部２３Ａに固定される。
【００４１】
図４（ｂ）は、画像形成装置１００の一部を拡大して示す斜視図である。図４（ｂ）に示すように、本実施形態では、第１外装部材２４及び第２外装部材１５を固定した後において、第２外装部材１５と第１外装部材２４との間に段差が生じることを抑制できる。図４（ｂ）では、第２外装部材１５の端縁部と第１外装部材２４の端縁部とが略面一である。
【００４２】
図５を参照して、高さ調整部材５０による結合部１３の位置の変化について説明する。図５（ａ）及び図５（ｂ）は、高さ調整部材５０を示す一部拡大図である。
【００４３】
図５（ａ）に示すように、第１長孔５１Ａの上端部は、第１長孔５１Ａの下端部よりも、フレーム部２３Ａの端縁２５から遠い位置に配置される。そして、第１長孔５１Ａは、スライド部材５１の上縁に向かって傾斜している。端縁２５は、フレーム部２３Ａの端部Ｅ２３の端縁である。
【００４４】
結合部１３は、第１長孔５１Ａの長手方向の略中央に位置している。そして、ビス５２は、第２長孔５１Ｂの長手方向の略中央において、スライド部材５１をフレーム部２３Ａに固定している。図５（ａ）において高さＨ１は、支持面２２Ａに対する結合部１３の高さを示す。
【００４５】
ビス５２を緩めて、第１長孔５１Ａの上端部が結合部１３に近づくように、スライド部材５１をスライド方向Ｄ２にスライドさせる。その結果、結合部１３が、第１長孔５１Ａの下端縁によって押し上げられ、開口２３Ｃに沿って上昇する。
【００４６】
そして、例えば、図５（ｂ）に示すように、結合部１３を第１長孔５１Ａの上端部に位置させる。さらに、第２長孔５１Ｂの両端部のうち第１長孔５１Ａの上端部に近い端部において、スライド部材５１をビス５２によってフレーム部２３Ａに固定する。図５（ｂ）において高さＨ２は、支持面２２Ａに対する結合部１３の高さを示す。
【００４７】
図５（ａ）及び図５（ｂ）に示すように、高さＨ２は高さＨ１よりも高い。従って、第１長孔５１Ａの上端部が結合部１３に近づくように、スライド部材５１がスライド方向Ｄ２にスライドすると、結合部１３が調整方向Ｄ１に沿って上昇し、画像読取部１０の隅部ＣＡの高さが高くなる。
【００４８】
一方、図示は省略したが、第１長孔５１Ａの下端部が結合部１３に近づくように、スライド部材５１がスライド方向Ｄ２にスライドすると、結合部１３が調整方向Ｄ１に沿って下降し、画像読取部１０の隅部ＣＡの高さが低くなる。
【００４９】
以上、図１〜図５を参照して説明したように、本実施形態によれば、画像読取部１０の隅部ＣＡの高さの調整に伴って、互いに隣接する第１外装部材２４と第２外装部材１５との間に段差が生じることを抑制できる。また、隅部ＣＡの高さを調整することによって画像読取部１０の筐体ＣＳの歪を抑制でき、画像の直角度の低下を抑制できる。
【００５０】
また、図３及び図５を参照して説明したように、本実施形態によれば、スライド部材５１に、傾斜している第１長孔５１Ａを形成することによって、簡素な構成により、高さ調整部材５０を構成できる。
【００５１】
以上、図面（図１〜図５）を参照しながら本発明の実施形態を説明した。但し、本発明は、上記の実施形態に限られるものではなく、その要旨を逸脱しない範囲で種々の態様において実施することが可能である（例えば、下記に示す（１）及び（２））。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の材質、形状等は一例であって、特に限定されるものではなく、本発明の効果から実質的に逸脱しない範囲で種々の変更が可能である。
【００５２】
（１）第１長孔５１Ａの上端部は、第１長孔５１Ａの下端部よりも、フレーム部２３Ａの端縁２５に近い位置に配置されてもよい。そして、第１長孔５１Ａは、スライド部材５１の上縁に向かって傾斜する。また、第１長孔５１Ａのスライド方向Ｄ２に対する傾斜角度は、任意の値に設定できる。
【００５３】
（２）フレーム部２３Ａの支持部２３Ｂは、細幅の台であったが、本発明はこれに限られない。例えば、支持部２３Ｂは、細幅の溝状に形成されてもよい。この場合、支持部２３Ｂは、安定してスライド部材５１を支持できる。
【産業上の利用可能性】
【００５４】
本発明は、画像形成装置の分野に利用可能である。
【符号の説明】
【００５５】
１０    画像読取部
１００  画像形成装置
１１０  光学系
１２    第１側面部
１３    結合部
１４    第２側面部
１５    第２外装部材
１７    脚部
２０    画像形成部
２２    支持台
２２Ａ  支持面
２３Ａ  フレーム部（第１支持部）
２３Ｂ  支持部（第２支持部）
２３Ｃ  開口
２４    第１外装部材
２４Ａ  被結合部
５０    高さ調整部材
５１    スライド部材
５１Ａ  第１長孔
５１Ｂ  第２長孔
５２    ビス（柱状部材）
Ｃ、ＣＡ、ＣＢ  隅部
ＣＳ    筐体
Ｅ１２、Ｅ１４  端部
Ｆ５１  下端縁
Ｍ      原稿
Ｓ      シート
【図１】
2016114893.tif 000003
【図２】
2016114893.tif 000004
【図３】
2016114893.tif 000005
【図４】
2016114893.tif 000006
【図５】
2016114893.tif 000007